【手続補正書】
【提出日】平成16年8月11日(2004.8.11)
【手続補正１】
【補正対象書類名】明細書
【補正対象項目名】特許請求の範囲
【補正方法】変更
【補正の内容】
【特許請求の範囲】
【請求項１】
始動入賞口への入賞に基づいて可動片を閉状態と開状態とに変換可能で内部に特別入賞口と一般入賞口を備える変動入賞装置を有し、
前記変動入賞装置には、前記可動片が開状態となったときに遊技球が入賞可能となる上部入賞室と、該上部入賞室の奥部に設けた連通路を介して連通する下部入賞室と、を形成し、
前記始動入賞口へ遊技球が入賞することを補助遊技発生条件として前記変動入賞装置の可動片が所定開閉回数の開閉動作を行う補助遊技を発生し、
前記補助遊技中に前記変動入賞装置に受け入れられた遊技球が特別入賞口に入賞して特別入賞検出手段に検出されることを特別遊技発生条件として、前記可動片が前記補助遊技における開閉回数よりも多い開閉回数を最大開閉回数とする開閉動作を行うサイクル遊技が行われる特別遊技を発生する遊技機において、
前記変動入賞装置は、
前記下部入賞室における前記特別入賞口の上流に設けられて、前記変動入賞装置に受け入れられた遊技球を当該特別入賞口に誘導し難い非誘導状態と誘導し易い誘導状態とに変換する誘導手段と、
前記誘導手段を誘導状態に保持する誘導保持状態と、前記誘導手段を非誘導状態に保持する非誘導保持状態とに変換可能で、誘導保持状態から複数回の非誘導保持状態を経て再び誘導保持状態に戻る変換順序が設定された誘導状態変換手段と、
前記誘導状態変換手段が誘導保持状態にあることを基準位置として検出する基準位置検出手段と、
を備え、
前記変動入賞装置の誘導状態変換手段を状態変換させる誘導状態変換制御手段を有し、
前記誘導状態変換制御手段は、
前記始動入賞口への入賞球が始動入賞検出手段に検出されること及び／または変動入賞装置内へ受け入れられた球が上部入賞室から下部入賞室へ流下する際に入賞個数検出手段に検出されることを状態変換条件として、前記誘導状態変換手段を所定の変換順序に則って状態変換させる一方、
前記特別遊技が終了したこと及び／または前記誘導状態変換手段が誘導保持状態にあることを前記基準位置検出手段により検出されることを条件として、乱数値を抽出し、該乱数値に応じて前記誘導状態変換手段における複数の非誘導保持状態の何れか一つを決定し、この決定された非誘導保持状態となるように誘導状態変換手段の状態変換制御を行うようにしたことを特徴とする遊技機。
【請求項２】
前記誘導手段は、
前記連通路を介して下部入賞室へ遊技球が流下する部位から特別入賞口に向ってやや下り傾斜する固定床部と、
前記固定床部に相当する部分を切り欠いた形状の板状体で、その前縁部を軸着して後縁部を上下動可能とした床部材と、
から構成し、
前記床部材の上面を前記固定床部の上面よりも突出させることで誘導状態を、前記床部材の上面を前記固定床部の上面と面一もしくは低くすることで非誘導状態を生ぜしめるようにしたことを特徴とする請求項１に記載の遊技機。
【請求項３】
前記誘導状態変換手段は、
１周を等分した状態変換角度毎に周縁に設けた突起状の歯よりなる複数の非誘導部と、一箇所のみ歯を欠いた誘導部と、を備えるギアと、
前記ギアを回転させる駆動源と、
から構成し、
前記誘導状態変換制御手段は、前記状態変換条件の達成毎に、前記駆動源を状態変換角度宛て一定方向に回転させることで、変換順序に応じた順で床部材を状態変換させるようにしたことを特徴とする請求項１又は請求項２に記載の遊技機。
【請求項４】
前記変動入賞装置に遊技球が受け入れられてから前記特別入賞口に入賞して特別入賞検出手段に検出されるまでに要する妥当な時間を勘案して所定時間幅の有効時間を定め、前記補助遊技の終了の際の前記可動片が閉じるときに当該有効時間の計時を開始し、該有効時間が経過するまで前記特別入賞検出手段による入賞球の検出を特別遊技発生条件として有効とし、
前記誘導状態変換制御手段は、前記状態変換条件達成毎の前記駆動源による状態変換角度宛ての回転を、前記有効時間が経過するまでに前記特別入賞検出手段による入賞球の検出がなければ当該有効時間の経過を待って行わせるようにしたことを特徴とする請求項３に記載の遊技機。
【手続補正２】
【補正対象書類名】明細書
【補正対象項目名】００１０
【補正方法】変更
【補正の内容】
【００１０】
【課題を解決するための手段】
上記課題を解決するために、始動入賞口への入賞に基づいて可動片を閉状態と開状態とに変換可能で内部に特別入賞口と一般入賞口を備える変動入賞装置を有し、前記変動入賞装置には、前記可動片が開状態となったときに遊技球が入賞可能となる上部入賞室と、該上部入賞室の奥部に設けた連通路を介して連通する下部入賞室と、を形成し、前記始動入賞口へ遊技球が入賞することを補助遊技発生条件として前記変動入賞装置の可動片が所定開閉回数の開閉動作を行う補助遊技を発生し、前記補助遊技中に前記変動入賞装置に受け入れられた遊技球が特別入賞口に入賞して特別入賞検出手段に検出されることを特別遊技発生条件として、前記可動片が前記補助遊技における開閉回数よりも多い開閉回数を最大開閉回数とする開閉動作を行うサイクル遊技が行われる特別遊技を発生する遊技機において、前記変動入賞装置は、前記下部入賞室における前記特別入賞口の上流に設けられて、前記変動入賞装置に受け入れられた遊技球を当該特別入賞口に誘導し難い非誘導状態と誘導し易い誘導状態とに変換する誘導手段と、前記誘導手段を誘導状態に保持する誘導保持状態と、前記誘導手段を非誘導状態に保持する非誘導保持状態とに変換可能で、誘導保持状態から複数回の非誘導保持状態を経て再び誘導保持状態に戻る変換順序が設定された誘導状態変換手段と、前記誘導状態変換手段が誘導保持状態にあることを基準位置として検出する基準位置検出手段と、を備え、前記変動入賞装置の誘導状態変換手段を状態変換させる誘導状態変換制御手段を有し、前記誘導状態変換制御手段は、前記始動入賞口への入賞球が始動入賞検出手段に検出されること及び／または変動入賞装置内へ受け入れられた球が上部入賞室から下部入賞室へ流下する際に入賞個数検出手段に検出されることを状態変換条件として、前記誘導状態変換手段を所定の変換順序に則って状態変換させる一方、前記特別遊技が終了したこと及び／または前記誘導状態変換手段が誘導保持状態にあることを前記基準位置検出手段により検出されることを条件として、乱数値を抽出し、該乱数値に応じて前記誘導状態変換手段における複数の非誘導保持状態の何れか一つを決定し、この決定された非誘導保持状態となるように誘導状態変換手段の状態変換制御を行うようにしたことを特徴とする。
【手続補正３】
【補正対象書類名】明細書
【補正対象項目名】００１１
【補正方法】変更
【補正の内容】
【００１１】
また、請求項２に係る発明は、請求項１に記載の遊技機において、前記誘導手段は、前記連通路を介して下部入賞室へ遊技球が流下する部位から特別入賞口に向ってやや下り傾斜する固定床部と、前記固定床部に相当する部分を切り欠いた形状の板状体で、その前縁部を軸着して後縁部を上下動可能とした床部材と、から構成し、前記床部材の上面を前記固定床部の上面よりも突出させることで誘導状態を、前記床部材の上面を前記固定床部の上面と面一もしくは低くすることで非誘導状態を生ぜしめるようにしたことを特徴とする。
【手続補正４】
【補正対象書類名】明細書
【補正対象項目名】００１２
【補正方法】変更
【補正の内容】
【００１２】
また、請求項３に係る発明は、請求項１又は請求項２に記載の遊技機において、前記誘導状態変換手段は、１周を等分した状態変換角度毎に周縁に設けた突起状の歯よりなる複数の非誘導部と、一箇所のみ歯を欠いた誘導部と、を備えるギアと、前記ギアを回転させる駆動源と、から構成し、前記誘導状態変換制御手段は、前記状態変換条件の達成毎に、前記駆動源を状態変換角度宛て一定方向に回転させることで、変換順序に応じた順で床部材を状態変換させるようにしたことを特徴とする。
【手続補正５】
【補正対象書類名】明細書
【補正対象項目名】００１３
【補正方法】変更
【補正の内容】
【００１３】
また、請求項４に係る発明は、請求項３に記載の遊技機において、前記変動入賞装置に遊技球が受け入れられてから前記特別入賞口に入賞して特別入賞検出手段に検出されるまでに要する妥当な時間を勘案して所定時間幅の有効時間を定め、前記補助遊技の終了の際の前記可動片が閉じるときに当該有効時間の計時を開始し、該有効時間が経過するまで前記特別入賞検出手段による入賞球の検出を特別遊技発生条件として有効とし、前記誘導状態変換制御手段は、前記状態変換条件達成毎の前記駆動源による状態変換角度宛ての回転を、前記有効時間が経過するまでに前記特別入賞検出手段による入賞球の検出がなければ当該有効時間の経過を待って行わせるようにしたことを特徴とする。
【手続補正６】
【補正対象書類名】明細書
【補正対象項目名】００４５
【補正方法】変更
【補正の内容】
【００４５】
なお、誘導状態変換手段の構成は上記の例に限定されるものではなく、例えば、図７および図８に示すような構成であっても良い。この変動入賞装置８′においては、床部材１６は自重により通常時は固定床部１５の上面部１５ａよりも下方に位置し、例えば、固定床部１５の側壁部１５ｂより突出形成した支持片１５ｄに床部材１６の下面が当接した状態となるように設定し、床部材１６の後縁部１６ｂから下方へ延出する作動受片１６ｄを設けておく。一方、パルスモータ等の高精度の回転角制御を行える駆動源によって一定方向へ回転させられる回転体２１は、回転軸に対してほぼ正円となる外周面２１ａの適所に作動突部２１ｂを設けたものである。
【手続補正７】
【補正対象書類名】明細書
【補正対象項目名】００５１
【補正方法】変更
【補正の内容】
【００５１】
この遊技用マイクロコンピュータ２２ａには、第１，第２始動口７ａ，７ｂへの球入賞に基づく始動入賞球検出信号が第１，第２始動口スイッチ２３ａ，２３ｂから、変動入賞装置８へ入賞した球を検出することに基づくカウント信号が大入賞口カウントスイッチ１１から、変動入賞装置８内の特別入賞口１２へ入賞した球を検出することに基づく継続入賞信号が大入賞口継続スイッチ１４から、床部材１６の上面が固定床部１５の上面部１５ａよりも高い誘導状態となる基準位置にギア１７の誘導部１７ｂ（歯を欠いた部位）が至ることに基づくギア基準位置検出信号がギア基準位置検出スイッチ２０から、入出力インターフェース２２ｃを介して各々入力される。
【手続補正８】
【補正対象書類名】明細書
【補正対象項目名】００７４
【補正方法】変更
【補正の内容】
【００７４】
【発明の効果】
以上説明したように、請求項１に係る遊技機によれば、誘導手段を誘導状態に保持する誘導保持状態と誘導手段を非誘導状態に保持する非誘導保持状態とに変換可能な誘導状態変換手段は、誘導保持状態から複数回の非誘導保持状態を経て再び誘導保持状態に戻る変換順序が設定されており、予め定めた状態変換条件（始動入賞口への入賞球が始動入賞検出手段に検出されること及び／または変動入賞装置内へ受け入れられた球が上部入賞室から下部入賞室へ流下する際に入賞個数検出手段に検出されること）が達成される毎に、誘導状態変換制御手段が誘導状態変換手段を状態変換させるので、誘導状態変換手段の変換順序に設定されている非誘導保持状態の連続回数だけ状態変換条件が達成されると、確実に誘導状態変換手段が誘導手段を誘導状態に保持するので、この時に行われる補助遊技では変動入賞装置に受け入れられた遊技球が特別入賞口に入賞して特別入賞検出手段に検出されて、特別遊技発生条件が達成される可能性が高まる。
【手続補正９】
【補正対象書類名】明細書
【補正対象項目名】００７５
【補正方法】変更
【補正の内容】
【００７５】
しかも、誘導手段が誘導状態に保持される条件を、乱数確率などの偶発的な要素で決めるのではなく、予め定めた状態変換条件が誘導状態変換手段の変換順序に設定されている非誘導保持状態の連続回数だけ達成されると、誘導状態変換手段が確実に誘導保持状態となるので、これを基準として遊技者は次の特別遊技発生までの投資額をある程度判断することができ、出費が青天井となる危険性を回避できる。更に、特別遊技が終了したこと及び／または誘導状態変換手段が誘導保持状態にあることを基準位置検出手段により検出されることを条件として、乱数値を抽出し、該乱数値に応じて誘導状態変換手段における複数の非誘導保持状態の何れか一つを決定し、この決定された非誘導保持状態となるように誘導状態変換手段の状態変換制御を行うようにしたので、誘導状態変換手段が次に誘導保持状態となるまでに要する状態変換回数をランダム化でき、遊技が単調になることを効果的に抑止できる。
【手続補正１０】
【補正対象書類名】明細書
【補正対象項目名】００７６
【補正方法】変更
【補正の内容】
【００７６】
また、請求項２に係る発明によれば、誘導手段は、連通路を介して下部入賞室へ遊技球が流下する部位から特別入賞口に向ってやや下り傾斜する固定床部と、固定床部に相当する部分を切り欠いた形状の板状体で、その前縁部を軸着して後縁部を上下動可能とした床部材と、から構成し、床部材の上面を固定床部の上面よりも突出させることで誘導状態を、床部材の上面を固定床部の上面と面一もしくは低くすることで非誘導状態を生ぜしめるようにしたので、変動入賞装置に受け入れた遊技球を特別入賞口へ誘導する状態と、特別入賞口へ誘導しない状態とに変換する機能を、比較的簡単な構造で実現できる。
【手続補正１１】
【補正対象書類名】明細書
【補正対象項目名】００７７
【補正方法】変更
【補正の内容】
【００７７】
また、請求項３に係る発明によれば、誘導状態変換手段は、１周を等分した状態変換角度毎に周縁に設けた突起状の歯よりなる複数の非誘導部と、一箇所のみ歯を欠いた誘導部と、を備えるギアと、前記ギアを回転させる駆動源と、から構成し、前記誘導状態変換制御手段は、前記状態変換条件の達成毎に、前記駆動源を状態変換角度宛て一定方向に回転させることで、変換順序に応じた順で床部材を状態変換させるようにしたので、誘導部が誘導手段を誘導状態とする誘導保持状態から非誘導部が誘導手段を非誘導状態とする複数回の非誘導保持状態を経て再び誘導保持状態に戻る変換順序をギアの周縁における歯の有無という比較的簡単な構造で物理的に実現でき、誘導状態変換手段は、状態変換条件の達成毎に駆動源を状態変換角度宛て一定方向に回転させるという簡単な制御で、適正な変換順序に則った状態変換を期せる。